(57)【特許請求の範囲】
【請求項１】
先端部にロープの一部を保持させ、ロープ取付対象物における高所の取付対象部位に前記先端部を近接させて前記対象物側にロープを移行させ、ロープが対象物の前記取付対象部位周囲を取囲んだ取付状態を得るロープ取付具において、
先端が前記対象物の取付対象部位に到達可能な長尺体とされる操作棒と、
前記操作棒先端に連結される棒状部及び当該棒状部から二股に分れて突出する突出部で形成され、当該二つの突出部の間に挟まれた空間領域が前記対象物の取付対象部位の略半分を収容可能な大きさ及び形状とされてなる本体部と、
当該本体部の突出部端部にそれぞれ傾動可能に取付られて本体部と共に前記対象物の取付対象部位を包囲する略環状体をなす部材としてそれぞれ形成され、本体部に対する傾動を伴いつつ、本体部への取付部分から離れた一端部同士が少なくとも前記対象物の取付対象部位より大きい間隔で離隔した開放状態から、前記略環状体をなして前記一端部同士を近接させた閉塞状態までの範囲で開閉可能とされる二つの可動アーム部と、
当該可動アーム部の他端側から突出状態として可動アーム部と一体に前記本体部に対し傾動可能に配設され、可動アーム部の前記開放状態から閉塞状態までの傾動に際して、常に本体部の前記突出部間の空間領域に少なくとも一部が位置して前記対象物と接触可能とされる略棒状の入力部と、
前記ロープの端部又は中間部を保持可能な略環状体としてそれぞれ形成され、各可動アーム部の一端部に対しそれぞれ着脱可能とされて配設され、可動アーム部の閉塞状態で互いに係合可能とされる二つのロープ保持部と、
前記本体部及び可動アーム部にそれぞれ一又は複数配設され、ロープの一部分を着脱可能に係止するロープ仮止部とを備え、
前記対象物に取付けるロープが、一端部から少なくとも前記対象物の取付対象部位を包囲可能な所定長さ分離れた所定中間部位を、前記ロープ保持部の一方に保持されると共に、前記一端部をロープ保持部の他方に保持されることを
特徴とするロープ取付具。
【請求項２】
前記請求項１に記載のロープ取付具において、
前記ロープ保持部の一方が、ロープを通せる大きさの略環状体とされ、
前記ロープ保持部の他方が、前記可動アーム部の閉塞状態で前記一方のロープ保持部の一部を環状部分の内側に進入可能とする一方で外側への離脱を阻止するストッパ付きのフックとされることを
特徴とするロープ取付具。
【請求項３】
前記請求項１又は２に記載のロープ取付具において、
いずれか一方又は両方の前記可動アーム部における一端部に配設され、前記ロープ保持部を可動アーム部の一端部に対し必要に応じて固定状態とする所定の固定具を備えることを
特徴とするロープ取付具。
【請求項４】
前記請求項１ないし３のいずれかに記載のロープ取付具において、
前記二つの入力部が、前記本体部に対する傾動可能状態はそれぞれ維持されつつ互いに離隔しない所定の連結状態とされ、前記各可動アーム部の前記本体部に対する傾動を一部拘束して二つの可動アーム部の開放及び閉塞に係る動作を連動させることを
特徴とするロープ取付具。
【発明の詳細な説明】
【技術分野】
【０００１】
本発明は、伐採対象の樹木を安全な方向へ誘導しつつ倒す際等に、支持すべき樹木等の対象物に支持用のロープを取付けるロープ取付具に関し、特に、樹木の幹等、対象物のロープ取付対象部位にロープを確実且つ容易に取付けられるロープ取付具に関する。なお、本発明におけるロープという語は、繊維製のヤーンを複数本撚り合わせたストランドをさらに複数本撚り合わせてなる一般的なロープの他、ワイヤ、ワイヤロープ、縄、綱、索など、強い張力が加わる状況で使用する可撓性線状体の総称として用いる。
【背景技術】
【０００２】
山林深くなど、作業用車両が進入不可能な場所における樹木の伐採は、人手に頼らざるを得ないが、こうした樹木の人手による伐採作業において、伐採対象の樹木の周囲に家屋や電線等が存在する場合、切倒される樹木がこうした家屋や電線等の方に倒れ込んで損害を与えるのを防ぐため、樹木の上部にトラ綱と呼ばれるロープやワイヤを取付け、障害物の無い所へ樹木を引張って誘導しながら切倒していた。
【０００３】
このようにして、伐採作業の際に、樹木の上部にロープやワイヤを取付ける必要がある場合、このロープ取付においては、電線路に近接する樹木、もしくは既に傾斜している樹木に梯子をかける、もしくは昇木して、樹木のロープ取付対象部位に対し取付作業を行う必要があった。
【０００４】
こうした樹木への人手による直接的なロープ取付作業では、作業者の落下の危険を伴うだけでなく、電線路が近くにある場合には作業者の電線への接触・感電の危険もあることから、取付対象部位に作業者が直接近付かずに済み、地上から安全にロープの取付を可能とする器具が従来から提案されていた。その一例として、地上の作業者により保持されてその上部を樹木に近接させ、上部にあらかじめ仮止めしていたロープを樹木に取付けることのできるロープ取付具が、特開平９−２８２１４号公報、特開２００６−２３８８０７号公報等に記載されている。
【特許文献１】特開平９−２８２１４号公報
【特許文献２】特開２００６−２３８８０７号公報
【発明の開示】
【発明が解決しようとする課題】
【０００５】
従来のロープ取付具は前記各特許文献に示されるものとなっていたが、こうした従来のロープ取付具のうち、前記特許文献１に記載のものは、地上側の作業者による操作で開閉する開閉機構を有する構造で、この開閉部分で一旦樹木を挟み込んだ状態とすることでロープを取付ける仕組みとなっており、作業者の操作に応じて開閉する機構を有する分、器具構成が複雑で部品点数も多く、重量大となって作業性が劣る上、可動部が多く不具合を招きやすいという課題を有していた。また、器具の開閉を地上側の作業者の操作でタイミングよく行う必要があり、操作を要すると共にその操作に慣れを必要とするなど、取扱いが容易でないという課題を有していた。
【０００６】
さらに、前記特許文献１のロープ取付具では、樹木を取囲むロープに、地上の作業者から樹木までの区間に使用するロープとは別の独立したロープを用いることから、取付作業のみ取付に適した細いロープやワイヤを用い、その後強度のある太いロープに入替えて、樹木を支持する際の必要強度に対応させるといったことが行えないため、樹木に取付けたロープをそのまま用いるほかなく、取付作業当初から強度のある太いロープを用いる必要があり、ロープ取付の作業能率の点で問題があった。
【０００７】
一方、前記特許文献２に記載のものは、ロープを保持する取付具先端に可動部はないものの、作業者は樹木に取付具先端部を掛けるまで手元でロープを保持し、掛けた後はロープを放して取付具先端側に位置するロープ先端を下方に落下させるといった操作の必要がある。これに加えて、作業者は高所の対象部位に対し取付具先端部を掛ける操作を行う必要があるものの、ロープが取付具先端部から外れやすい構造であるため、慎重に作業を行う必要があり、作業は容易とはいえないことに加え、枝等が多い場合はロープが引っかかりやすく、幹への取付作業を継続することが困難になるという課題を有していた。また、取付具先端部を樹木に掛けた後、ロープ先端がうまく落下しない場合は、取付具先端に設けられたフックを用いてロープ先端を引下ろす必要があり、作業者から離れた高所での細かい作業となるため、さらに作業効率の低下をもたらすという課題を有していた。
【０００８】
さらに、前記特許文献２に記載の取付具では、ロープを樹木に掛けられるだけであり、樹木に対するロープの締付けができないため、枝等のロープ落下を抑えるものがロープを掛けた箇所の下方に存在しない場合、ロープを地上側から絶えず緊張させて取付部位に留まるようにする必要があり、作業性に難があるという課題を有していた。
【０００９】
本発明は前記課題を解決するためになされたもので、樹木等の対象物に対し容易にロープ取付作業が行えることに加え、簡略な構造で軽量化でき、作業しにくい環境においても能率よく確実にロープ取付作業を実施可能なロープ取付具を提供することを目的とする。
【課題を解決するための手段】
【００１０】
本発明に係るロープ取付具は、先端部にロープの一部を保持させ、ロープ取付対象物における高所の取付対象部位に前記先端部を近接させて前記対象物側にロープを移行させ、ロープが対象物の前記取付対象部位周囲を取囲んだ取付状態を得るロープ取付具において、先端が前記対象物の取付対象部位に到達可能な長尺体とされる操作棒と、前記操作棒先端に連結される棒状部及び当該棒状部から二股に分れて突出する突出部で形成され、当該二つの突出部の間に挟まれた空間領域が前記対象物の取付対象部位の略半分を収容可能な大きさ及び形状とされてなる本体部と、当該本体部の突出部端部にそれぞれ傾動可能に取付られて本体部と共に前記対象物の取付対象部位を包囲する略環状体をなす部材としてそれぞれ形成され、本体部に対する傾動を伴いつつ、本体部への取付部分から離れた一端部同士が少なくとも前記対象物の取付対象部位より大きい間隔で離隔した開放状態から、前記略環状体をなして前記一端部同士を近接させた閉塞状態までの範囲で開閉可能とされる二つの可動アーム部と、当該可動アーム部の他端側から突出状態として可動アーム部と一体に前記本体部に対し傾動可能に配設され、可動アーム部の前記開放状態から閉塞状態までの傾動に際して、常に本体部の前記突出部間の空間領域に少なくとも一部が位置して前記対象物と接触可能とされる略棒状の入力部と、前記ロープの端部又は中間部を保持可能な略環状体としてそれぞれ形成され、各可動アーム部の一端部に対しそれぞれ着脱可能とされて配設され、可動アーム部の閉塞状態で互いに係合可能とされる二つのロープ保持部と、前記本体部及び可動アーム部にそれぞれ一又は複数配設され、ロープの一部分を着脱可能に係止するロープ仮止部とを備え、前記対象物に取付けるロープが、一端部から少なくとも前記対象物の取付対象部位を包囲可能な所定長さ分離れた所定中間部位を、前記ロープ保持部の一方に保持されると共に、前記一端部をロープ保持部の他方に保持されるものである。
【００１１】
このように本発明によれば、本体部の突出部端部に傾動可能に取付けた各可動アーム部一端部にロープ保持部を配置する一方、可動アーム部他端側に入力部を突出配設し、対象物のロープ取付対象部位に本体部及び可動アーム部を近接させ、開放状態の可動アーム部間に対象物を挟み込むようにし、さらに各入力部を対象物に押し当てると、対象物に相対的に押される入力部の動きに伴って可動アーム部が傾動し、対象物を囲みつつ一端部を互いに近付けて閉塞状態へ移行し、可動アーム部一端部のロープ保持部同士を互いに係合させることにより、これらロープ保持部に保持されたロープが対象物の周囲を環状に取囲みつつ閉じて対象物に取付けられた状態が得られ、この後取付具全体を対象物から離すとロープ保持部が可動アーム一端部から離脱すると共にロープが取付具の他部分から外れ、ロープを取付具側から離してロープ取付作業を完了でき、作業者が地上側で取付具に対し特別な操作を行わなくとも、ロープが対象物の取付対象部位を囲んだ確実な取付状態を得ることができ、ロープ取付作業を能率よく行うことができる。また、ロープ取付作業を容易としながら極めて簡略な構造を実現でき、信頼性に優れると共に軽量化も図れ、容易に作業現場に取付具を搬入して問題なく作業を進められる。
【００１２】
また、本発明に係るロープ取付具は必要に応じて、前記ロープ保持部の一方が、ロープを通せる大きさの略環状体とされ、前記ロープ保持部の他方が、前記可動アーム部の閉塞状態で前記一方のロープ保持部の一部を環状部分の内側に進入可能とする一方で外側への離脱を阻止するストッパ付きのフックとされるものである。
【００１３】
このように本発明によれば、ロープ保持部の一方を略環状体とすると共に、他方をフックとし、可動アーム部の一端部同士を近接させて一方のロープ保持部を他方側へ押し当てると係合状態が得られることにより、ロープ保持部同士の係合が容易且つ確実となり、可動アーム部の閉塞状態で確実にロープを対象物を取囲んで閉じた状態とすることができる。さらに、一方のロープ保持部についてはロープを通すのみとなり、ロープの対象物を取囲む部分の長さを調節できることから、ロープの対象物への取付状態でロープを引けばロープの締った状態が得られることとなり、取付けたロープで対象物を適切且つ確実に支持できる。
【００１４】
また、本発明に係るロープ取付具は必要に応じて、いずれか一方又は両方の前記可動アーム部における一端部に配設され、前記ロープ保持部を可動アーム部の一端部に対し必要に応じて固定状態とする所定の固定具を備えるものである。
【００１５】
このように本発明によれば、ロープ保持部の一方を可動アーム部に固定具で固定可能とし、ロープ取付作業で、可動アーム部を閉塞状態とした後、取付具先端を対象物から離す際に、互いに係合したロープ保持部のうち、一方のロープ保持部をそのまま可動アーム部一端部から外さずに残すようにすると、結果として、係合状態の二つのロープ保持部が一方の可動アーム部一端部に追随して対象物から離れ、対象物周囲にロープを取付けた状態を維持したまま、閉じたロープの環部分を広げる状態でロープ端部を地上側に引寄せられることにより、対象物を取囲んだロープの両端部を作業者の手元に一旦戻すことができ、対象物に掛けた状態のロープ一端部に他の新たなロープの端部を連結し、元からある方のロープ他端部を引張れば、対象物に掛るロープを完全に新しいものに入替えることができ、対象物への取付時には作業しやすいロープを用い、後で強度的に優れたロープに入替えた上で、ロープで対象物を支持する作業が行えることとなり、取付作業の能率向上とロープによる支持力の向上とを両立させられる。
【００１６】
また、本発明に係るロープ取付具は必要に応じて、前記二つの入力部が、前記本体部に対する傾動可能状態はそれぞれ維持されつつ互いに離隔しない所定の連結状態とされ、前記各可動アーム部の前記本体部に対する傾動を一部拘束して二つの可動アーム部の開放及び閉塞に係る動作を連動させるものである。
【００１７】
このように本発明によれば、二つの入力部を連結状態とし、これらと一体の各可動アーム部の傾動を連動させ、可動アーム部が本体部に対し同様の傾動変位を伴って開放及び閉塞状態となるようにすることにより、入力部のいずれか一方のみに対象物が接触しても可動アーム部を均等に閉塞側に傾動させられることとなり、可動アーム部間で対象物の位置に偏りがあっても可動アーム部を確実に閉塞状態としてロープ保持部同士の係合を確保できる。また、可動アーム部が開く場合も本体部に対し可動アーム部が均等に開放側に傾動することとなり、取付具先端部を対象物からスムーズに引離せる。
【発明を実施するための最良の形態】
【００１８】
（本発明の第１の実施形態）
以下、本発明の第１の実施形態を図１〜図９に基づいて説明する。本実施の形態においては、伐採される樹木をロープ取付対象物とするロープ取付具の例について説明する。図１は本実施形態に係るロープ取付具の使用状態説明図、図２は本実施形態に係るロープ取付具における要部の可動アーム部閉塞状態正面図、図３は本実施形態に係るロープ取付具における要部左側面図、図４は本実施形態に係るロープ取付具における要部の可動アーム部開放状態正面図、図５は本実施形態に係るロープ取付具におけるフックとリングの係合状態説明図、図６は本実施の形態に係るロープ取付具による取付作業中の入力部とロープ取付対象物との当接状態説明図、図７は本実施形態に係るロープ取付具による取付作業中の可動アーム部閉塞状態説明図、図８は本実施形態に係るロープ取付具による取付作業中のロープ取付状態説明図、図９は本実施形態に係るロープ取付具により取付けたロープの締り状態説明図である。
【００１９】
前記各図において本実施形態に係るロープ取付具１は、ロープ取付対象物としての樹木６０におけるロープ５０の取付対象部位に先端が到達可能な長尺体とされる操作棒１１と、この操作棒１１先端に連結される棒状部１２ａ及びこの棒状部１２ａから二股に分れて突出する突出部１２ｂ、１２ｃで形成される本体部１２と、この本体部１２の突出部１２ｂ、１２ｃ端部にそれぞれ傾動可能に取付られて本体部１２と共に樹木６０の取付対象部位を包囲する略環状体をなす部材としてそれぞれ形成される二つの可動アーム部１３、１４と、これら可動アーム部１３、１４の他端側から突出状態として可動アーム部１３、１４と一体に本体部１２に対し傾動可能に配設される略棒状体の入力部１５、１６と、前記各可動アーム部１３、１４の一端部に可動アーム部１３、１４の閉塞状態で互いに係合可能とされて配設される前記ロープ保持部としてのフック１７及びリング１８と、本体部１２及び可動アーム部１３、１４にそれぞれ一又は複数配設され、ロープ５０の一部を着脱可能に係止するロープ仮止部１９とを備える構成である。
【００２０】
前記操作棒１１は、地上から前記対象物としての樹木６０におけるロープ５０の取付対象部位に到達可能な長尺体で、且つ本体部１２や可動アーム部１３、１４等各部材の取付状態で変形しない強度を有するものとされていれば、当初から長さが不変の一体物でも、長さを伸縮調整可能なものでもかまわない。
【００２１】
前記本体部１２は、操作棒１１先端に着脱可能に連結される棒状部１２ａから二股に分れて突出する突出部１２ｂ、１２ｃを、前記対象物としての樹木６０におけるロープの取付対象部位を取囲める大きさの仮想円の一部をなす略円弧状体とされてなり、これら二つの突出部１２ｂ、１２ｃの間に挟まれた空間領域が前記取付対象部位の略半分を収容可能な大きさ及び形状となるよう形成される構成である。
【００２２】
詳細には、円弧をなす突出部１２ｂ、１２ｃの先端部を結ぶ弦部分の寸法が、樹木６０の取付対象部位の大きさ以上とされ、樹木６０の取付対象部位を突出部１２ｂ、１２ｃと棒状部１２ａとの連結部分に接する状態まで近付けることが可能となっている。
【００２３】
この本体部１２には、ロープ５０の一部分を着脱可能に係止するロープ仮止部１９が複数配設されると共に、突出部１２ｂ、１２ｃの上面にロープ５０を載置可能となっており、樹木６０側にロープ５０を取付けるまでは確実にロープ５０を保持できる仕組みである。なお、本体部１２の棒状部１２ａは、操作棒１１寄り部分と突出部寄り部分との組合わせ構造とされ、操作棒１１寄り部分に対し突出部寄り部分のなす角度を調整可能としているが、この他、棒状部を単純な棒状の一体構造としたり、逆に、突出部側の操作棒に対する向き調整の自由度を高めるために自在継手構造とするなど、組合わせる部品点数をさらに増やした構成としてもかまわない。
【００２４】
前記可動アーム部１３、１４は、前記本体部１２と同じ仮想円の他部をなす略円弧状体として形成され、本体部１２の突出部１２ｂ、１２ｃ先端部にそれぞれ傾動可能に取付られ、本体部１２に対する傾動を伴いつつ、本体部１２への取付部分から離れた一端部同士が樹木６０の取付対象部位より大きい間隔で離隔した開放状態から、本体部１２と共に閉じた略環状体をなして一端部同士を近接させた閉塞状態までの範囲で開閉可能とされる構成である。可動アーム部１３、１４の互いに近接、離隔する一端部には、フック１７又はリング１８取付用の支持部材１３ａ、１４ａがそれぞれ一体に配設される。
【００２５】
この可動アーム部１３、１４にも、ロープ仮止部１９がそれぞれ配設されており、樹木６０側にロープ５０を取付けるまではロープ５０が不用意に可動アーム部１３、１４側から離れないようにする仕組みである。なお、可動アーム部１３、１４の本体部１２に対する傾動は、開放方向が可動アーム部１３、１４他端部と突出部１２ｂ、１２ｃの一部との物理的接触により、閉塞方向が可動アーム部１３、１４各一端部のフック１７とリング１８との係合により、それぞれ規制されており、所定の傾動角度範囲内のみで傾動することとなる。
【００２６】
前記入力部１５、１６は、各可動アーム部１３、１４の他端側から突出状態として配設される円弧状略棒状体であり、可動アーム部１３、１４と円弧を連続させる配置として可動アーム部１３、１４と一体化され、可動アーム部１３、１４と共に本体部１２に対し傾動可能とされることで、可動アーム部１３、１４の前記開放状態で本体部１２の突出部１２ｂ、１２ｃ間の空間領域に位置して前記対象物としての樹木６０と接触可能とされると共に、可動アーム部１３、１４の前記閉塞状態で突出部１２ｂ、１２ｃに沿う位置となる構成である。
【００２７】
これら入力部１５、１６は、所定の連結用リング１２ｄに各端部を通した状態とされることで、本体部１２に対する傾動可能状態はそれぞれ維持されつつ入力部１５、１６同士が互いに離隔しない連結状態とされている。これにより、各可動アーム部１３、１４の本体部１２に対する傾動を一部拘束して二つの可動アーム部１５、１６の開放及び閉塞に係る動作を連動させ、各可動アーム部１５、１６の本体部１２に対する傾動変位が同程度となるようにしている。なお、入力部１５、１６端部には、連結用リング１２ｄ内径より大きいストッパ１５ａ、１６ａが配設されており、連結用リング１２ｄが各入力部１５、１６から脱落することはない。
【００２８】
前記フック１７は、一部をストッパ１７ｂとして外方からの押圧に対し開放可能で且つ内方からの押圧では開放不能とされてなる公知のフック機構を有する略環状体のフック本体部１７ａと、可動アーム部１３一端部の支持部材１３ａに着脱可能に嵌合する突片部１７ｃとを一体化して形成され、フック本体部１７ａの一部にロープ５０の端部を着脱可能に固定され、可動アーム部１３の一端側に対し着脱可能とされて配設される構成である。
【００２９】
前記リング１８は、ロープ５０を通せる大きさとされる円環状のリング本体部１８ａと、可動アーム部１４一端部の支持部材１４ａに着脱可能に嵌合する突片部１８ｂとを一体化して形成され、リング本体部１８ａにロープ５０を通されてロープ５０の中間部位を保持する状態で、可動アーム部１４の一端側に対し着脱可能とされて配設される構成である。
【００３０】
フック１７の突片部１７ｃと可動アーム部１３一端部の支持部材１３ａとの嵌合、及びリング１８の突片部１８ｂと可動アーム部１４一端部の支持部材１４ａとの嵌合は、互いに容易には離隔しないものの、ロープ取付を終えて取付具先端部を樹木から離そうとする際などにおける適度な力が加わった状態において各突片部が支持部材から離脱するよう保持力を設定される。この容易に外れず、適切な力が加わった状態で外れるようにする着脱可能な機構自体は、摩擦力を利用したものやスナップを用いたもの等の公知の機構であり、詳しい説明を省略する。
【００３１】
前記フック１７にロープ５０端部が保持され、ロープ５０端部がフック１７を介して可動アーム部１３一端部に着脱可能に支持された状態となると共に、リング１８にこのロープ端部から樹木６０の取付対象部位を包囲可能な所定長さ分離れたロープ５０の所定中間部位が保持され、ロープ中間部位がリング１８を介して可動アーム部１４一端部に着脱可能に支持された状態となることで、可動アーム部１３、１４を用いてロープ５０を樹木６０の取付対象部位の周りに配置することが可能である。
【００３２】
すなわち、可動アーム部１３、１４を開放状態として樹木に近付け、可動アーム部１３、１４及び本体部１２の突出部１２ｂ、１２ｃの間に樹木６０の取付対象部位を位置させてから、可動アーム部１３、１４を閉塞状態に移行させることで、近接する可動アーム部１３、１４の各一端部にそれぞれ支持されているフック１７とリング１８が接触し、リング１８のリング本体１８ａがフック１７のフック本体部１７ａ内にストッパ１７ｂを押しのけつつ進入し、リング本体１８ａとフック本体部１７ａとが係合状態となり、これらフック１７とリング１８を介してロープ５０の端部と中間部位が連結され、樹木６０の取付対象部位の周りを取囲むようにロープ５０の環が形成される仕組みとなっている。
【００３３】
フック１７は、可動アーム部１３、１４の閉塞状態でリング１８のリング本体部１８ａの一部をフック本体部１７ａの内側に進入可能とする一方で、ストッパ１７ｂによりリング本体部１８ａのフック本体部１７ａ外側への離脱を阻止する仕組みとなっていれば、どのようなフック形状としてもかまわないが、フック本体部１７ａにおけるリング１８のリング本体部１８ａを内側に進入させる開口寸法を、可動アーム部１３の傾動中心軸線方向に十分確保し、可動アーム部１３、１４一端部同士の閉塞状態におけるずれを許容できる形状とするのが望ましい。
【００３４】
前記ロープ仮止部１９は、ロープ５０の一部分を着脱可能に係止する公知の略クリップ状体とされ、特に可動アーム部１３、１４に対しては、可動アーム部１３、１４のなす円弧の内周側にクリップ開口を位置させ、ロープ５０が前記内周側に向って外れるようにして配設される構成である。
【００３５】
次に、前記構成に基づくロープ取付具の使用状態について説明する。まず、準備段階として、本体部１２に対し可動アーム部１３、１４を開放状態としてから、あらかじめロープ５０の一端部を固定されたフック１７を一方の可動アーム部１３一端部に嵌合させると共に、ロープ５０他端部を通したリング１８を可動アーム部１４一端部に嵌合させ、フック１７とリング１８間のロープ５０長さを調整しつつ、可動アーム部１３、１４及び本体部１２にロープ５０を沿わせ、各ロープ仮止部１９にロープ５０を係止させることで、ロープ５０先端部分を取付具に保持された状態とする。なお、フック１７及びリング１８が可動アーム部１３、１４一端部に既に係合されている状態で、可動アーム部１３、１４及び本体部１２にロープ５０を沿わせつつリング１８にロープ５０を通すようにしてもよい。
【００３６】
こうしてロープ５０の保持が完了したら、操作棒１１を作業者が保持して、可動アーム部１３、１４及び本体部１２のある取付具先端部を対象物となる樹木６０のロープ取付対象部位に向けて上昇させる。なお、こうしてロープ５０を取付具先端の可動アーム部１３、１４及び本体部１２に保持させた状態（図６参照）では、可動アーム部１３、１４一端部間の区間分のロープ張力やロープ５０と各部材との摩擦で、本体部１２に対する可動アーム部１３、１４の傾動が適度に拘束された状態となっており、可動アーム部１３、１４の開放状態を維持でき、可動アーム部１３、１４が作業途中で不用意に閉じることはない。
【００３７】
続いて、樹木６０のロープ取付対象部位に操作棒１１先端の本体部１２及び可動アーム部１３、１４を適切な向きで近接させ、開放状態の可動アーム部１３、１４間に樹木６０が挟まれるようにして本体部１２を近付ける。ここで、可動アーム１３、１４他端側に設けられた入力部１５、１６を樹木６０の取付対象部位に押し当てる（図６参照）と、入力部１５、１６が樹木６０に相対的に押される形で本体部１２に対し傾動することで、これら入力部１５、１６と一体の可動アーム１３、１４も同時に傾動し、可動アーム部１３、１４が一端部を互いに近付けて閉塞状態へ移行する（図７参照）。
【００３８】
可動アーム部１３、１４の閉塞状態では、可動アーム１３、１４一端部のフック１７とリング１８が互いに係合して、フック１７に端部を取付けられ且つリング１８に通されたロープ５０が、樹木６０の取付対象部位周囲を環状に取囲みつつ閉じた状態となって、ロープ５０を樹木６０に取付けた状態が得られる。この状態から、地上側のロープ５０端部を保持しながら、作業者が操作棒１１を動かして取付具先端部を樹木６０から離れる方向に動かすと、フック１７とリング１８がそれぞれ可動アーム１３、１４一端部から外れると共に、ロープ５０が本体部１２上面や各ロープ仮止部１９からも外れ、ロープ５０はフック１７及びリング１８と共に樹木６０の取付対象部位周囲に取付けられた状態を維持する（図８参照）。
【００３９】
取付具側では、閉塞状態となっていた可動アーム部１３、１４が樹木６０により外側へ押広げられる形で抵抗なく開放状態に移行することとなり、取付具先端部をスムーズに樹木６０から離すことができ、そのまま地上側に取付具先端を戻せば、ロープ取付作業は完了となる。この後、樹木６０に取付けたロープ５０に地上側から引張り力を付与してこのロープ５０で樹木６０を支持しつつ行われる伐採等の別の作業が実施可能となる。その際、リング１８のリング本体部１８ａに通されているロープ５０はリング１８に対し完全に固定されてはいないことから、地上側からロープ５０を引くと、ロープ上におけるリング１８位置がずれてロープ５０が締り、ロープ５０を樹木６０の取付対象部位の周りに密着させた状態とすることができ（図９参照）、ロープ５０で樹木６０を確実且つ安全に支持できる。
【００４０】
このように、本実施形態に係るロープ取付具においては、本体部１２端部に傾動可能に取付けた各可動アーム部１３、１４一端部にフック１７及びリング１８を配置する一方、可動アーム部１３、１４他端側には入力部１５、１６を突出配設し、樹木６０のロープ取付対象部位に本体部１２及び可動アーム部１３、１４を近接させ、開放状態の可動アーム部１３、１４間に樹木６０を挟み込むようにし、さらに各入力部１５、１６を樹木６０に押し当てると、樹木６０に相対的に押される入力部１５、１６の動きに伴って可動アーム部１３、１４が傾動して樹木６０を囲みつつ閉塞状態へ移行し、可動アーム部１３、１４一端部のフック１７及びリング１８を互いに係合させることから、これらフック１７及びリング１８に保持されたロープ５０が樹木６０の周囲を環状に取囲みつつ閉じて樹木６０に取付けられた状態が得られ、この後、取付具全体を樹木６０から離すとロープ５０が取付具側から外れてロープ取付作業を完了でき、作業者が地上側で取付具に対し特別な操作を行わなくとも、ロープ５０が樹木６０の取付対象部位を囲んだ確実な取付状態を得ることができ、ロープ取付作業を能率よく行うことができる。
【００４１】
（本発明の第２の実施形態）
前記第１の実施形態に係るロープ取付具において、フック１７及びリング１８は、各可動アーム部１３、１４一端部に対し着脱可能とし、所定の力が加わると一端部から外れる構成としているが、これに限らず、本発明の第２の実施形態として、図１０、図１１に示すように、フック２７を可動アーム部２３一端部に配設した状態で、このフック２７の突片部を可動アーム部２３一端部から外れないよう緊締してフック２７を固定する止めネジ２３ａ等の固定具を可動アーム部２３一端部に配設する構成とすることもできる。
【００４２】
この場合、前記第１の実施形態同様、樹木６０を囲む可動アーム部２３、２４を閉塞状態（図１０参照）へ移行させると、可動アーム２３、２４一端部のフック２７とリング２８が互いに係合して、フック２７に端部を取付けられ且つリング２８に通されたロープ５１が、樹木６０の取付対象部位周囲を環状に取囲みつつ閉じた状態となって、ロープ５１を樹木６０に取付けた状態が得られるが、さらにこの状態から、地上側のロープ５１端部を保持しながら、作業者が操作棒２１を動かして取付具先端部を樹木６０から離れる方向に動かすと、可動アーム部２３、２４が前記第１の実施形態同様に開放状態に移行し、リング２８は可動アーム２４一端部から外れ、またロープ５１は本体部２２上面や各ロープ仮止部２９から外れるものの、フック２７は可動アーム２３一端部から外れずに残り、ロープ５１は樹木６０の取付対象部位周囲に取付けられた状態を維持しつつ、可動アーム２３一端部のフック２７及びこれに係合するリング２８が樹木６０から離れることで、樹木６０の取付対象部位周囲を取囲むロープ５１の環がフック２７及びリング２８のある側に広がった状態となる（図１１参照）。
【００４３】
そのまま取付具先端部を樹木６０から離して地上側に引寄せると、可動アーム２３一端部のフック２７及びこれに係合するリング２８の移動に合わせて、樹木６０の取付対象部位に掛ったロープ５１の環部分が大きくなっていく（図１２参照）。ロープ５１が十分な長さであれば、ロープ５１の新たな部位が次々とリング２８を通ってロープ５１の環部分として加わるため、ロープ５１の端部を含む取付具先端部を地上の作業者側まで問題なく移動させられる。なお、リング２８についても、突片部２８ｂを可動アーム部２４一端部から外れないよう緊締して固定する止めネジ等の固定具を可動アーム部２４一端部に配設する構成とし、フック２７の代りにリング２８を可動アーム一端部から外さないようにすることもできる。
【００４４】
このように、本実施形態に係るロープ取付具においては、ロープ取付作業の結果として、樹木６０に掛けたロープ５１の両端部を地上側に位置させられることで、樹木６０に掛けているロープ５１の端部に別のロープを連結し、元のロープ５１を引いて樹木６０に掛るロープを新たなロープに入替えることができ、例えば、樹木６０へのロープ取付の際には、作業が容易となる細く摩擦抵抗の小さいロープを用い、その後は強度的に優れたロープに入替えた上で、このロープを用いて伐採等の別の作業が実施でき、作業能率とロープによる支持力の向上が図れることとなる。
【００４５】
なお、前記第１及び第２の各実施形態に係るロープ取付具において、本体部１２の突出部１２ｂ、１２ｃ及び可動アーム部１３、１４は、それぞれ樹木６０におけるロープ５０の取付対象部位を取囲める大きさの仮想円の一部をなす略円弧状体として形成される構成としているが、これに限らず、突出部や可動アーム部を、樹木６０の取付対象部位を取囲める大きさの円形ではない略環状体の一部をなす所定形状とすることもでき、ロープの取付作業性等に応じて適宜形状を選択してかまわない。また、ロープの取付対象物は樹木に限らず、電柱等の構造物を対象とすることもできる。
【００４６】
また、前記第１及び第２の各実施形態に係るロープ取付具において、本体部１２は棒状部１２ａと突出部１２ｂ、１２ｃとを一体固定状態で形成する構成としているが、これに限らず、可動アーム部や突出部の向き調整の自由度を高めるために、突出部を棒状部に対し棒状部長手方向と平行な軸周りに回動可能に形成する構成とすることもでき、樹木６０の取付対象部位に対し可動アーム部や突出部を適切な向きで相対させられることとなる。またこの場合、本体部の二つの突出部をそれぞれ個別に棒状部に対し回動可能とし、突出部の一方を他方に対し傾動可能とするようにしてもよく、非使用時には、操作棒先端から本体部を取外した上で、さらに突出部の一方を傾動させて突出部他方側に寄せた折畳み状態とすれば、本体部及び可動アーム部の占めるスペースを大幅に小さくコンパクト化でき、取付具の収納や作業現場への搬入に都合がよい。
【００４７】
また、前記実施形態に係るロープ取付具において、一旦閉塞状態となった可動アーム部の開放は、可動アーム部内周側を樹木等のロープ取付対象物に押し当てて行う仕組みとし、この開放を補助する機構は特に設けない構成としているが、これに限らず、入力部と本体部との間、もしくは、二つの入力部間に、入力部を対象物に押し当てて可動アーム部を閉塞状態にする際に必要な力を過度に上昇させない範囲で可動アーム部を開放側に付勢する、すなわち、入力部を互いに近付ける向きに付勢力を与えるばねを設ける構成とすることもでき、ロープを対象物に取付けた後の可動アーム部開放と取付具先端の対象物からの離脱をよりスムーズに進められる。さらにこの場合、入力部の一部を伸縮等変形するばね材で構成し、且つこのばね材を介して二つの入力部を一体化するようにしてもよく、可動アーム部のスムーズな開放と二つの可動アーム部の傾動における確実な連動とを実現できることとなる。
【００４８】
また、前記実施形態に係るロープ取付具において、ロープ５０端部はフック１７に固定された状態となっているが、これに限らず、フックに対しロープ端部を着脱可能な構成とすることもでき、その場合、開放状態とされた可動アーム部一端部のリングにロープの一端部を通し、このリングに通したロープ一端部を反対側のフックに固定し、各可動アーム部及び本体部にロープを沿わせ、各ロープ仮止部にロープを係止させ、ロープ先端部分を取付具に保持された状態とすることができ、用いるロープが長い場合に、ロープを他端側からリングに通していく手間が省け、作業能率を高められる。この場合、フック及びリングを可動アーム部一端部にまだ係合させていない状態で、リングにロープを通すと共にフックにロープ端部を固定し、その上でフック及びリングを各可動アーム部一端部に取付けるようにしてもよい。
【００４９】
また、前記実施形態に係るロープ取付具において、リング１８のリング本体部１８ａは単純な円環状体としているが、これに限らず、リング本体部が閉じた略環状体をなし、フックと確実に係合して外れないものであれば、ロープの通しやすさを考慮してリング本体部にも所定の開閉機構を採用する構成とすることもできる。
【図面の簡単な説明】
【００５０】
【図１】本発明の第１の実施形態に係るロープ取付具の使用状態説明図である。
【図２】本発明の第１の実施形態に係るロープ取付具における要部の可動アーム部閉塞状態正面図である。
【図３】本発明の第１の実施形態に係るロープ取付具における要部左側面図である。
【図４】本発明の第１の実施形態に係るロープ取付具における要部の可動アーム部開放状態正面図である。
【図５】本発明の第１の実施形態に係るロープ取付具におけるフックとリングの係合状態説明図である。
【図６】本発明の第１の実施形態に係るロープ取付具による取付作業中の入力部とロープ取付対象物との当接状態説明図である。
【図７】本発明の第１の実施形態に係るロープ取付具による取付作業中の可動アーム部閉塞状態説明図である。
【図８】本発明の第１の実施形態に係るロープ取付具による取付作業中のロープ取付状態説明図である。
【図９】本発明の第１の実施形態に係るロープ取付具により取付けたロープの締り状態説明図である。
【図１０】本発明の第２の実施形態に係るロープ取付具による取付作業中の可動アーム部閉塞状態説明図である。
【図１１】本発明の第２の実施形態に係るロープ取付具による取付作業中のロープ取付状態説明図である。
【図１２】本発明の第２の実施形態に係るロープ取付具のロープ取付後における対象物からの離隔状態説明図である。
【符号の説明】
【００５１】
１              ロープ取付具
１１、２１      操作棒
１２、２２      本体部
１２ａ          棒状部
１２ｂ、１２ｃ  突出部
１２ｄ          連結用リング
１３、１４      可動アーム部
１３ａ、１４ａ  支持部材
１５、１６      入力部
１５ａ、１６ａ  ストッパ
１７、２７      フック
１７ａ          フック本体部
１７ｂ          ストッパ
１７ｃ          突片部
１８、２８      リング
１８ａ          リング本体部
１８ｂ          突片部
１９、２９      ロープ仮止部
２３、２４      可動アーム部
２３ａ          止めネジ
５０、５１      ロープ
６０            樹木
【図１】
0004757236.tif 000002
【図２】
0004757236.tif 000003
【図３】
0004757236.tif 000004
【図４】
0004757236.tif 000005
【図５】
0004757236.tif 000006
【図６】
0004757236.tif 000007
【図７】
0004757236.tif 000008
【図８】
0004757236.tif 000009
【図９】
0004757236.tif 000010
【図１０】
0004757236.tif 000011
【図１１】
0004757236.tif 000012
【図１２】
0004757236.tif 000013